(57)【特許請求の範囲】
【請求項１】
金種を示す金種マークが付されたテープにより所定枚数の紙幣を前記金種マークが紙幣束の端面に位置するように結束する紙幣結束手段と、結束された紙幣束を前記金種マークが上方に向くように立位姿勢で並列収納し人手により取出しが可能な引出し構造を有する紙幣束収納部と、この収納部を引き出す動作により紙幣束の前記金種マークを読取って金種別に計数する読取り計数手段と、この読取り計数手段により計数した計数結果に基づいて金種別の在高を更新記憶するとともにその在高情報を適宜出力可能な在高管理手段とを具有することを特徴とする紙幣束管理システム。
【請求項２】
前記テープに金種別に異なる金種マークを付し、結束時にその金種に対応する金種マークが紙幣束の端面に位置するように結束する紙幣結束手段を備えている請求項１記載の紙幣束管理システム。
【請求項３】
前記紙幣束収納部および読取り計数手段が店内を移動可能なワゴンとされている請求項１または２記載の紙幣束管理システム。
【発明の詳細な説明】
【０００１】
【発明の属する技術分野】
本発明は、銀行等金融機関の店舗内において１００枚ずつ束ねられた紙幣束を管理するための紙幣束管理システムに関する。
【０００２】
【従来の技術】
金融機関などでは、紙幣を管理するうえで１００枚を単位としてテープで結束し、結束された紙幣束（通称「小束」）として収納箇所に収納される。
【０００３】
この紙幣束の在高管理については、例えば特開平６−１６６４３５号公報に記載の装置のように装置内で結束した紙幣束を投出するものであると紙幣束の出入りの管理は厳密に行うことができる。
【０００４】
【発明が解決しようとする課題】
しかし一旦結束された紙幣束を例えば金庫室や棚、引出し等に置いて管理する場合はすべて人手により在高をチェックする必要がある。
【０００５】
また金融機関の店内で使用される現金カート（現金キャビネット）に紙幣束を収納して管理するものでは、紙幣束が人手により出し入れされるためその都度在高を管理することが難しいという問題がある。
【０００６】
本発明は、現金カートなどに収納される紙幣束の在高をリアルタイムでチェックすることができ、紙幣束の在高管理を容易かつ確実に行えるようにした紙幣束管理システムを提供することを課題としてなされたものである。
【０００７】
【課題を解決するための手段】
上記課題を解決する手段として本発明は、金種を示す金種マークが付されたテープにより所定枚数の紙幣を前記金種マークが紙幣束の端面に位置するように結束する紙幣結束手段と、結束された紙幣束を前記金種マークが上方に向くように立位姿勢で並列収納し人手により取出しが可能な引出し構造を有する紙幣束収納部と、この収納部を引き出す動作により紙幣束の前記金種マークを読取って金種別に計数する読取り計数手段と、この読取り計数手段により計数した計数結果に基づいて金種別の在高を更新記憶するとともにその在高情報を適宜出力可能な在高管理手段とを具有することを特徴とする。
【０００８】
前記テープに金種別に異なる金種マークを付し、結束時にその金種に対応する金種マークが紙幣束の端面に位置するように結束するようにすれば、テープを金種別に用意せずともテープの供給時の位置調整のみで各金種の紙幣の結束を行うことができる。
【０００９】
上記引出し式の収納部をワゴンの引出しに適用すれば、店内を移動させての使用ができ、一層利用効果を高めることができる。
【００１０】
【発明の実施の形態】
以下、本発明を図面に示す実施の形態を参照して説明する。
【００１１】
図１は本発明において用いられる紙幣束収納部を移動自在なワゴン形態とした場合の側板を除去した外観を示し、図２は紙幣束Ｐを横位置で立位姿勢に整列収納する引出し構造の紙幣束収納部１を引出した状態を示している。
【００１２】
紙幣を束ねるテープＴは、図３に一部を示すように、その金種を示す金種マーク２（実施形態ではバーコード）と基準マーク３とが所定の間隔をおいて予め印刷されている。
【００１３】
上記金種マーク２はテープＴの幅の半分程度にのみ印刷され、図４にその部分を拡大して示すように、２Ａが万円紙幣を、２Ｂが千円紙幣を、２Ｃが５千円紙幣を示し、上記各金種マーク２Ａ、２Ｂ、２Ｃの印刷幅ＬＡ、ＬＢ、ＬＣはその金種の紙幣を所定枚数（１００枚）束ねたときその厚み（木口幅）より若干広めに設定されている。なお、２Ｄは予備用のマークで、幅ＬＤをとっている。
【００１４】
したがって紙幣の結束には、図５に概要を示すような結束手段６が用いられる。すなわち基準マーク検知手段４によりテープＴの基準マーク３を検知したのちその紙幣の結束時に当該紙幣の金種を示す金種マーク２の該当マークが紙幣束の長手方向の端面に丁度位置するようテープ繰出し手段５によるテープＴの送り出し長さを制御するようになっており、周知のようにテープＴの先端をテープ挟み６ａにより挟持して結束すべき紙幣Ｐの周囲に巻きつけ、巻き終り端を熱接着して結束するようになされる。
【００１５】
前記紙幣束収納用ワゴン７は、紙幣束収納部１が庫体８に対しレール９，１０，１１をガイドとして引出し自在に形成され、図示の例では前後方向中央位置に設けられる中仕切り１２を境としてその左右に紙幣束Ｐを横位置立位姿勢で２列に収納するようになっており、この引出し構造の紙幣束収納部１が上下方向に４個設けられている。
【００１６】
これら紙幣束収納部１，１…は庫体８の側面にバネ１３により下方へ付勢されて所定のストロークにわたり上下動可能に設けられたロックバー１４のロック爪（図示せず）と紙幣束収納部１の前板１ａの背面一側に設けられたフック１５との係合によりロックされ、ロックバー１４はＤＣモータ（図示せず）により上方へ駆動されてロックの解除が行われるか、またはキー操作によりロックバー１４を上昇させることによりロックが解かれて紙幣束収納部１を引出すことができるようになっている。
【００１７】
前記紙幣束収納部１の奥壁１ｂには紙幣束ＰのテープＴが所定の向きに収納されているが否かを検知するセンサＳ１，Ｓ１（反射型センサ）が設けられ、また庫体８の上枠１６には紙幣束収納部１に整列状態で収納される紙幣束ＰのテープＴと対応する位置にマーク読取り計数手段の一部を構成するセンサＳ２，Ｓ２が設けられている。このセンサＳ２，Ｓ２は反射型のフォトセンサで、各センサＳ２，Ｓ２は少なくとも２個のセンサからなり、一方が金種マーク２の位置を読取り、他方が金種マーク２が印刷されていない部分のテープを読取ることによって金種と束数とを同時に読取れるようになっている。なお１７は前記上枠１６に設けられた押えローラで、紙幣束Ｐの上端の浮き上がり等を防ぐためのものである。
【００１８】
また紙幣束収納部１には、図６に示すようにその後端の支持部１８と後端近傍下面の支持部１９とに途中に引張バネ２０が介装されたワイヤ２１の各端部が結着され、このワイヤ２１は庫体８の前部および後部に軸着されたプーリー２２，２３を経由するように巻回されており、紙幣束収納部１の引出しに伴なってワイヤ２１が回動し、そのワイヤ２１の途中は庫体８側に設けられたロータリエンコーダ２４に巻回されていて、紙幣束収納部１が最奥部の紙幣束ＰがセンサＳ２による計測位置を通過するまでの所定量が引出されたか否かを判別するとともに、紙幣束収納部１の引出し量に応じ引出し速度に関係なく所定のパルスを発生させることにより、センサＳ２のマーク読取りのタイミングをとるようになっている。
【００１９】
図８に本発明における読取り計数手段および在高管理手段に相当する制御ブロック図を示しており、紙幣束収納部１のセンサＳ１，Ｓ２およびロータリエンコーダ２４からの検知信号がＣＰＵに入力され、それに基づいて金種判別部３５により金種が判別されて計数されるとともに、束計数部３６により束数が計数され、その結果金種別在高メモリ３７に金種別在高が、収納部別在高メモリ３８に収納部別（４個の収納部別）の在高がそれぞれ更新記憶される。これらメモリ３７，３８はその在高情報を出力して適宜な箇所に設けられる表示部３９への表示、印刷部４０での印刷が可能とされている。
【００２０】
前記紙幣束収納部１内には、収納される紙幣束Ｐを奥壁１ｂに押しつけて整列状態を維持するための押圧板２５が前後方向に摺動自在に設けられ、図７に示すように定荷重バネ２６が結着されていて一定の押圧力をもって紙幣束Ｐを奥壁１ｂに押圧するようになっている。
【００２１】
前記紙幣束収納部１の前板１ａの手掛け部１ｃの内側には、図７に示すように操作用レバー２７がその下端をヒンジ２８により揺動可能に取付けられており、このレバー２７の内面側には前記押圧板２５を手前に引寄せたときその押圧板２５を吸着保持するためのマグネット２９が固設され、前板１ａの内側には操作用レバー２７を戻すためのゴム等の弾性体３０（板バネ等のバネ材でもよい）が設けられている。したがって図７のように押圧板２５を引寄せてマグネット２９に吸着保持させた状態で紙幣束Ｐの装填を行い、装填終了後操作用レバー２７を弾性体３０の弾性に抗して手前に引けばそのマグネット２９が押圧板２５から離間し、押圧板２５は定荷重バネ２６の作用により引戻されて装填済みの紙幣束Ｐを押圧することになる。
【００２２】
一方、前記紙幣束収納部１の後方部側面にはロータリダンパ３１が設けられており、庫体８にはこのダンパ３１の軸上のピニオン３２が紙幣束収納部１を庫体８内に押し込むときその押し込み終端時に噛合して慣性を吸収するラック３３が設けられている。
【００２３】
次に上記実施形態の作用を説明する。
【００２４】
紙幣を結束するに際し、その紙幣が１万円紙幣であるときは、テープＴに表示されている１万円用の金種マーク２Ａが紙幣束の長手方向端面（木口）に位置するように結束手段６により結束される。すなわち結束時にテープＴの基準マーク３を基準マーク検知手段４が検知したのちテープＴの繰出し手段５の回転数が制御されてテープＴの送り出し量が定められ、１万円紙幣に巻回したときその長手方向の木口に１万円用の金種マーク２Ａが丁度位置して結束される。他金種の紙幣に関しても上記と同様にして結束され、その紙幣の金種を示す金種マーク２Ｂ，２Ｃが木口に位置して結束される。
【００２５】
こうして結束手段６により結束された紙幣束Ｐを紙幣束収納部１内に前記金種マーク２Ａが上を向くようにするとともにセンサＳ２側に位置するよう整列させて収納する。この収納時には、押圧板２５を手元側へ引戻して操作用レバー２７のマグネット２９に吸着保持させておくことにより押圧板２５を手で押えておく必要はない。
【００２６】
紙幣束Ｐの収納後、紙幣束収納部１の前板１ａに臨む操作用レバー２７を引けば、該レバー２７はヒンジ２８を中心に手前側に回動し、これによりマグネット２９が押圧板２５から離反するので、押圧板２５は定荷重バネ２６により引戻され、整列状態に収納された紙幣束Ｐ群を奥壁１ｂに押圧して整列状態を保つ。
【００２７】
こうして紙幣束収納部１を庫体８に押入すれば、図１に示すようなワゴン形態となって納まり、店内を移動させることができる。
【００２８】
紙幣束Ｐを取出すときは、紙幣束収納部１のロックを外し、その手掛け部１ｃに手を掛けて引出すことにより該収納部１の上面が全開されて紙幣束Ｐを取出すことができる。
【００２９】
この引出し時にワイヤ２１が回動し、それによりロータリエンコーダ２４が回動して紙幣束収納部１が所定量引出されたか否かがチェックされる。
【００３０】
紙幣束収納部１が所定量引出されると、その引出し動作に応じて各紙幣束Ｐの金種マーク２がセンサＳ２の下を通過するのでこのセンサＳ２により金種マーク２が読取られて金種別の束数が計数され、紙幣束Ｐを必要数取出したのち紙幣束収納部１が押し込まれると同じくセンサＳ２により金種マーク２が読取られて計数され、在高管理がなされる。
【００３１】
前記ロータリエンコーダ２４の信号が途中で反転した場合は、紙幣束収納部１が完全に引出されなかったことを意味するので、もう一度やり直すことになる。このように紙幣束収納部１内に収納されている紙幣束Ｐの在高が紙幣束Ｐの取出しの都度紙幣束収納部１を開け閉めすることで計数され、常にリアルタイムに在高を管理することができる。
【００３２】
【発明の効果】
以上説明したように本発明によれば、紙幣束収納部を引出す動作により収納されている紙幣束の金額が計数されるので、人手により計数することなく常に在高を管理することができ、精査時間の大幅な短縮を図ることができるとともに精査ミスを低減することができる。
【図面の簡単な説明】
【図１】本発明をワゴン形態として実施する場合の一例を側板を除去して示す斜視図。
【図２】紙幣束収納部を引出した状態を示す斜視図。
【図３】紙幣結束用のテープを示す一部の平面図。
【図４】図３におけるマーク部分の拡大平面図。
【図５】上記テープによる結束手段の一例を示す説明図。
【図６】紙幣束収納部の引出し構造を示す引出した状態の一部切欠略示側面図。
【図７】押圧板の係止部の断面図。
【図８】制御内容を示すブロック図。
【符号の説明】
１  紙幣束収納部
２（２Ａ〜２Ｄ）  金種マーク
３  基準マーク
４  基準マーク検知手段
５  テープ繰出し手段
６  紙幣結束手段
７  紙幣束収納用ワゴン
８  庫体
１４  ロックバー
２１  ワイヤ
２４  ロータリエンコーダ
２５  押圧板
３１  ロータリダンパ
【図１】
0004409019.tif 000002
【図２】
0004409019.tif 000003
【図３】
0004409019.tif 000004
【図４】
0004409019.tif 000005
【図５】
0004409019.tif 000006
【図６】
0004409019.tif 000007
【図７】
0004409019.tif 000008
【図８】
0004409019.tif 000009